(57)【要約】【課題】急斜面の法面などの斜面でも簡単に植物の根の緊迫により低コストで法面の保護ができ、改変された作業前の斜面の植生に近い状態に復元できる、実用性に優れた斜面の緑化方法を提供する。【解決手段】法面などの斜面に植物を植生して該斜面を緑化する方法で、斜面保護基材として緑化する在来種で匍匐茎を有する木本類又は草本類をもしくはそれらを併用して用いたこと、緑化基材として同じく在来種の木本類及び草本類の種子を用いたこと、マルチング部材として木質系チップを用いたことにより斜面の安定と植物の生育を図ることで低コストで自然の植生を回復させる斜面の緑化方法である。【選択図】図１
2012167529.tif 000002
【特許請求の範囲】
【請求項１】
法面などの斜面に植物を植生して該斜面を緑化する方法であって、在来種で匍匐茎を有する木本類又は草本類をもしくはそれらを併用して斜面保護基材に用いたこと、在来種の木本類及び草本類をもしくはそれらを併用して緑化基材として用いたこと、木質系チップをマルチング部材として用いたことを特徴とする斜面の緑化方法。
【請求項２】
請求項１に記載の斜面の緑化方法であって、植生する斜面に植生基盤枠を長手方向が略基準水平面に平行になるよう立設し、植生基盤枠と斜面が成す空間を植生基盤層として、そこに斜面保護基材として植生基盤枠と平行に匍匐茎を有する木本類又は草本類の根茎を並置し、覆土後、緑化基材として木本類又は草本類の種子を緑化する領域に播種し、さらに木質系チップをマルチング部材として散布被覆することを特徴とする斜面の緑化方法。
【請求項３】
請求項２に記載の斜面の緑化方法であって、植生する斜面に植生基盤枠を長手方向が略基準水平面に平行且つ植生基盤枠底面と斜面との間に０．５乃至１センチメートルの隙間ができるように立設することを特徴とする斜面の緑化方法。
【請求項４】
請求項１乃至３のいずれかに記載の斜面の緑化方法であって、植生する匍匐茎を有する木本類又は草本類の根茎が少なくとも一つ以上のラメットを有するように切断したものであることを特徴とする斜面の緑化方法。
【請求項５】
請求項２乃至４のいずれかに記載の斜面の緑化方法であって、植生基盤層に匍匐茎を有する木本類又は草本類がヨモギ、チガヤ、ネザサ、カラムシ、イチゴ、ドクダミ、イタドリから選択された少なくとも一種以上の植物であることを特徴とする斜面の緑化方法。
【請求項６】
請求項１乃至５のいずれかに記載の斜面の緑化方法であって、マルチング部材として用いる木質系チップがスギ又はヒノキの樹皮チップであることを特徴とする斜面の緑化方法。
【発明の詳細な説明】
【技術分野】
【０００１】      本発明は、斜面に在来木本類及び草本類の植物を植生させることにより斜面を安定させ、かつ自然林を育成する緑化方法に関する。
【背景技術】
【０００２】      これまで法面等の斜面の緑化方法として、外来草本類の種子や肥料、土壌改良剤などを混合した植生基盤材を吹き付けし、斜面上に有機客土基盤を形成させる方法が盛んに行われている。法面の多くは山間地に位置し、道路造成等人間社会の利便を図る造作物として存在するが、周辺は自然豊かな環境で多種多様な動植物が共存共栄する場所でもある。これまで行われている方法では、安価で繁殖力の旺盛な外来種の木本類や草本類が多く用いられてきた。従って、時間を経て完成した自然は新たに植生された外来植物による被圧や遺伝子レベルでの種のかく乱により郷土種が駆逐され作業前などの自然林にはほど遠いなどの問題が残されていた。また、近隣に自生する種の植物を用いての緑化は、種の調達、特定種の栽培育成、法面保護の機能などに多くの技術的困難性とコストが伴うことが予測されあまり実施されていないのが実情であった。【０００３】      そのなかで、斜面を在来種の植物で緑化する技術として、特許文献１に示したように在来多年生草本類が植生環境に適合して繁茂するようこれらを植生基材とともに袋体に詰め施工対象地域に設置して緑化を図るものが提案されている。しかし、当該工法でも袋詰めなど事前の準備に手間やコストがかかること、入手可能な袋体は生育後に取外しなど処置が必要、生分解性材料などは適切なものが入手困難などまだ解決すべき点が挙げられる。【０００４】      また、単に法面の保護だけを考慮した場合、根による表土の緊迫を得るために在来種にも多くある匍匐性の根茎を有する植物を利用する技術は、特許文献２及び特許文献３に示されているが、それらは種々の環境条件に対応した方法とはなってはおらず、その後の在来種の木本類による緑化をも考慮したものではないなど改良の余地があった。【０００５】      さらに、法面などの斜面の保護と自然林を再現する工法として特許文献４に示されているが咋今の経済情勢から更なるコスト削減を強いられているのが現状である。
【先行技術文献】
【特許文献】
【０００６】
【特許文献１】特開２００６−２４６７５７公報
【特許文献２】特開昭４８−７５３２５公報
【特許文献３】特開２００９−１６５３９０公報
【特許文献４】特開２００９−１５５９６４公報
【発明の概要】
【発明が解決しようとする課題】
【０００７】      本発明は上述したような問題点に鑑みて提案されたものであり、急勾配の法面などの斜面でも簡単に植物の根の緊迫により低コストで斜面の保護ができ、改変された作業前の斜面の植生に近い状態に復元できる、実用性に優れた斜面の緑化方法を提供しようとするものである。
【課題を解決するための手段】
【０００８】      第１の発明は、法面などの斜面に植物を植生して該斜面を緑化する方法であって、斜面保護基材として在来種で望ましくは緑化する近隣に自生する匍匐茎を有する木本類又は草本類（以下、在来種匍匐茎等という。）をもしくはそれらを併用して用いたこと、緑化基材として在来種で望ましくは緑化する近隣に自生する木本類及び草本類をもしくはそれらを併用して用いたこと、マルチング部材として木質系チップを用いたことを特徴とする斜面の緑化方法である。ここで斜面保護基材とは、法面の風雨の侵食などによる損壊を防止する役目を行う基材で、緑化を目的の一つとする場合、従来技術では草本類や木本類を直接植栽するかシートに種子等を抱合しまたは袋体に生育に必要な資材と種子とを充填しそれらを斜面に配置し、育成し、その後の根張りを利用したり、単に土留めが主体の場合はコンクリート製などの固定構造物を用いることが多かった。本発明では、将来の樹林形成を考慮し、近隣地域の他の植物を被圧することなく且つ効果的効率的に強い根茎と根との伸張で絡み合いによる緊迫性を利用し法面の保護が得られる在来種の匍匐茎を有する植物を利用することにある。発明者らは、これまでの研究結果からヨモギ、チガヤ、ネザサ、カラムシ、イチゴ、ドクダミ、イタドリが根茎の伸張による緊迫度が高く特に好ましい結果が得られることがわかっている。また、緑化基材は、斜面深層部までの保護を図るとともに、その後の景観を形成するために必要な木本類及び草本類をいう。そして、植物の施工後にそれらの流亡・侵食の防止や育成に必要な保水・保温・凍上防止・肥料化などの役割を有する表面保護材としてのマルチング部材に木質系チップを用いたことも重要である。この木質系チップは、木本類の幹や枝、根株、樹皮等、そして竹など木質化する茎なども含まれ、特にスギ、ヒノキなどから生産される樹皮チップは、植栽された植物を保護するとともに造成林の維持伐採などにより廃棄排出されたものを原材料とすることができるので入手面やコスト的にも好適である。【０００９】      当該緑化方法は、このように在来種の木本類又は在来種の草本類及びその両方のみを用い、ほかに事前の大きな準備を必要とせず、そして通常の植栽技術を持って施工できるのでコスト的に非常に有利に従来の自然林に近い環境を創生できるものである。【００１０】      第２の発明は、植生する斜面に植生基盤枠を長手方向が略基準水平面に平行になるよう立設し、植生基盤枠と斜面が成す上方の空間を植生基盤層としてそこに植生基盤枠に平行に斜面保護基材である在来種匍匐茎等の根茎を並置し、覆土後、緑化基材である木本類及び草本類の種子を緑化する領域に播種し、遅効性肥料を用いて必要な施肥を行い、さらにマルチング部材である木質系チップを散布被覆することを特徴とする斜面の緑化方法である。植生基盤枠は、在来種匍匐茎等、木本類及び草本類の種子の植付けや播種の際の基準として、また種子やマルチング材の流亡を防ぐために用いられ、特に竹がその必要性がある間は腐食に耐え、その後堆肥化するので好都合である。しかし、時間を経て腐朽化する他の木質系素材でも使用することが可能である。このように斜面に設置した植生基盤枠と斜面とが作る空間が在来種匍匐茎等を植生する植溝となり、そこに覆土し、次に緑化用の複数種の種子を吹き付けや手蒔き等の方法で緑化域全面に播種し、さらにマルチング材で緑化域全面に散布工法を用いて被覆を行い、散水することで植栽作業が完了する。その後は、植生の遷移に委ねることで自然林の復元が完成することになる。緑化用の種子は、在来種で複数種であることが肝要で、好ましくは１０種以上であると植物の環境選択性、先駆性、植物の生育環境の変化や生育連鎖への対応が行われやすくなる。【００１１】      この緑化方法において、在来種匍匐茎等は、ラメット（匍匐茎の節から新しい植物体が形成される状態にあるもの）でまだ芽が伸張していない状態のものが育成度合いを揃えるために好ましく、通常これを一つ以上含むようにして植付け用の匍匐茎を調製する。これら在来種匍匐茎等は、発芽、生育し親株となり、次に二次株（小株）を作り、それが親株となりさらに生育拡大を続け、他の株とも併せ、網目状の根張りを形成させ、斜面を緊縛して覆うことにより強固に保持することができるようになる。一方、在来種匍匐茎等の上層に播種した緑化用の植物の種子は、その網目状の根茎群と競争又は共生を図りながら徐々に成育し、最終的に比較的高木の植物が繁茂し樹林を形成していくようになる。このことにより斜面のより深部まで根が到達し同時に深層部までの保護が完成する。【００１２】      さらに、植生する斜面に植生基盤枠を長手方向が略基準水平面に平行且つ植生基盤枠底面と斜面との間に０．５乃至１センチメートルの隙間ができるように立設することを特徴とした場合、あるいはその隙間を前記高さの範囲内で植生基盤枠の底面を櫛型とすることにより匍匐茎を斜面下方への自由伸張を促すべく作用しその根茎から形成される二次株により網目状に容易に根張りが可能となり均一性の高い斜面の保護を行うことができる。【００１３】      以上のように、植生基盤枠により斜面との間で植生基盤層を形成させ、在来種匍匐茎等と、緑化基材の種子と、木質系マルチング部材の植物生育保護と堆肥化の肥効とを組み合わせ、若干のその他資材及び機器の準備とあいまって熟練度が不要で十分適用可能な緑化方法となっている。本緑化方法を用いることにより、事前準備がほとんど不要で工程が単純且つ工数も少ないので非常に大きな省力化とコスト低減を図ることが可能となっている。
【発明の効果】
【００１４】      本発明によれば、植生する植物は全て在来種、特に自生するものであればなお好ましくこれらを用いて、極力少ない工程と工数で法面等の斜面を植物の根の緊迫により保護ができ、さらに改変された作業前の斜面の植生に近い状態に復元できるので、コスト上も実用性に優れた方法とすることができた。
このように、たとえ、荒地でも生育しやすい先駆性種と将来森林を構成する主構成木を混合した植生をすることで、植物間の競争を活発化させ自然界の治癒力を手助けし、早期の植生復元がなされる。それにより樹木によるＣＯ２の吸収固定がなされ地球温暖化の防止にも役立ち、樹林化された斜面は草地と比べ、維持管理費の軽減が図れる効果がある。林業の製材過程で発生するスギ又はヒノキの樹皮をも利用でき環境循環型の工法であるとともに、不要に人造生産物を使用することがないので生態系ピラミッドの底辺よりの動植物連鎖が出来上がり生態系の回復がなされると同時に植物の生長により、樹林化への遷移が早くなることで、水源涵養、土砂流失防止、防風風致、魚付き林など多くの機能を有する森林ができ、保安効果等が発揮される。自然に優しい斜面の緑化方法となっている。
【図面の簡単な説明】
【００１５】
【図１】本実施例の断面構造図である。
【図２】本実施例の断面構造の拡大図である。
【図３】本実施例のマルチング材散布前の平面配置図である。
【発明を実施するための形態】
【００１６】      従来の緑化方法では、外来植物の種子や肥料、土壌改良剤、細かく破砕した木質系チップを効果的に作用させるための補助剤、またそれらを法面へ施工し易いよう資材を利用するなどの方法が一般的であり、外来植物の種子を使用することによる自生の木本類の発芽阻害やうまく発芽しても単一種になり易く多種多様な植生を有する斜面には戻りにくいこと、斜面への施工前準備に多くの手間とコストを要すること、種々の人造資材を使用するのでその後の処理が困難なことなど改善すべき点が多々あった。本緑化方法では、斜面を人手し易い在来種の匍匐茎植物の根の緊迫化により安定化を行い、引き続き、それらと共生して緑化用の植物が生育し、樹林を形成するのが特徴である。特に、各植物の育成を助長する遅効性肥料以外に人造的資器材を必要とせず施工できるので自然に優しい緑化工法としている。本実施例では、造成作業前の斜面の植生にできるだけ近づけることを主眼に、周辺に自生している在来草本類、木本類の植生を調査し、その結果に基づいて植物を調達している。
【００１７】      以下、図面を用いて発明を詳細に記述する。斜面保護基材４としてイチゴ類、ネザサ属の木本類、ヨモギ、チガヤ、カラムシ、ドクダミ、イタドリなどの草本類などの在来種が望ましく、これらを単一もしくは複数種併用して用いる。一般に現地調査で緑化区域周辺に平均して存在しているものを数種選び、それらの根茎を採取し持ち帰り栽培して増殖するか、同一種の匍匐性植物の根茎を調達しておく。それらのラメットの状況を目視で確認し、通常１乃至２０箇所のラメットを含むよう根茎を分離し、そのままもしくは火鋸屑等に収め植え付け時まで冷所に保存しておく。緑化部材７としての種子も現地調査で緑化区域周辺に平均して存在しているものを複数種選び、好ましくは１０種以上、より好ましくは３０種以上混合したものを準備しておく。これは、植物の多様化を図りより自然の状態に近くするためである。
【００１８】      植生基盤枠２は、予め竹を切り出し、長さ１００から２００センチメートル、幅３から５センチメートルの作業し易く、後で散布するマルチング材が逸失、流亡しない寸法に加工しておく。また、竹の代わりに間伐材や不要な木材片等も利用できるがコストがアップする恐れがあり腐朽化の進み具合や供給の可能性を事前に検討しておく必要がある。斜面にこのような底面積の大きい部材の打ち込みは困難なので固定アンカー３は必要な場合が多い。遅効性肥料６は、通常、法面工事後の掘削面はマルチング部材８である木質系チップが堆肥化するまでの間、無肥料状態に近いので、根が伸張し始めた後の育成を助けるためには必要である。
【００１９】      緑化する斜面１は、法面形成後の整地程度でよく、そこに用いる匍匐茎等の根張り状況に応じて緑化単位領域を決定し、図１及び図３に示すように植生基盤枠２をその下端に相当する位置に、丁度、植生する斜面に植生基盤枠２を長手方向が略基準水平面に平行になるよう固定アンカー３を用いて立設する。このとき植生基盤枠２は枠底面と斜面１との間に０．５乃至１センチメートルの隙間ができるよう台などで調整しておくと根の伸張を妨げることなく根の屈曲の少ない状態で根を張らすことができるのでより強固に斜面を安定化できる。また、予め下面が櫛状となっている植生基盤枠を用いてもよい。なお、これら植生基盤枠２は、在来種匍匐茎等、木本類及び草本類の種子の植付けや播種の際の基準ともなるので図１の例のように緑化の目的や内容に応じて予め計画的に配置しておく必要がある。このようにして、緑化する斜面１と植生基盤枠２により形成される上方空間である通常３乃至１０センチメートル幅が植生基盤層５として機能し、また在来種匍匐茎等の根茎の植溝となり、そこに植生基盤枠に平行に在来種匍匐茎等の根茎を根の張り具合を考慮し必要な間隔で並べ置き、その後、根茎が隠れる程度に覆土する。このとき、根茎の配置に先立ち若干量の土を配しても良く、植付ける植物の状況と費用の関係で行えばよい。根茎の植付けは、発芽する芽のふくらみを必ず確認しそれが上を向くように植付ける。なお、根茎は、長さ１０乃至５０センチメートル、植付け間隔は１メートル当たり１乃至１０個が好ましい。また、匍匐茎の根茎は、斜面保護の目的等により植溝に交互に植栽するなど混在してもかまわない。
【００２０】      図２に示すように植生基盤層５は、覆土後、被覆処理した化学肥料や堆肥などの遅効性肥料を投入しておく。そして、この領域を含め緑化する全域に、緑化基材の種子を手又は機材を用いて散布する。その上にマルチング部材８として木質系チップを散布機器などを用いて散布する。木質系チップは、施工した植物の流亡・侵食の防止や育成のための保水・保温・凍上防止・肥料化など表面保護材としての役割なので施工する環境に合い木質系で生分解性のものであればよいが、特に林野管理で発生するスギ、ヒノキの間伐材や樹皮などが、比較的安価に入手できる上、腐朽の経過が植物の成長と歩調を合わせやすく好都合である。マルチング部材８は、通常、３乃至５センチメートルの層厚で緑化する全域に隙間なく散布する。そして、斜面に浸透するくらいに散水し植物の発芽、成長を促す。
【００２１】      その後、植付けた在来種匍匐茎等は、発芽、生育し親株となり、次に二次株（小株）を作り、それが親株となりさらに生育拡大を続け、他の株とも併せ、網目状の根張りを形成させ、斜面を緊縛して覆うことにより強固に保持することができるようになる。一方、在来種匍匐茎等の上層に播種した緑化用の植物の種子は、その網目状の根茎群と競争又は共生を図りながら徐々に成育し、最終的に比較的高木の植物が残り樹林を形成していくようになる。その後は、植生の遷移に委ねることで自然林の復元ができる。
【実施例１】
【００２２】      事前に周辺に自生している在来草本類及び木本類の植生を調査し、その結果から、表１に示したように斜面保護基材４である在来種匍匐茎を有する植物と緑化基材７としての種子を選定した。そして、在来種匍匐茎等の根茎は、緑化地域周辺のものを採取し、各植物とも約２０センチメートルに切断し、使用時までそのまま冷所にて保存した。それらの根茎には、３箇所から１０箇所のラメットが確認できた。緑化試験エリアは約１００平方メートルで、３００本の切断した根茎を準備した。また、緑化基材７の種子は、保有していた県内各地で採取したものを用い、それらを１乃至１５グラム計り取り、混合した後、都合１００平方メートルで１５０グラムの混合種子を袋詰めして保存した。植生基盤枠２には、県内産の孟宗竹を長さ２００センチメートル、幅４センチメートルに加工し、２平方メートルごとに１個設置すべく５０本、鉄製の固定アンカーとともに準備した。
【表１】
2012167529.tif 000003
【００２３】      図１及び図２に示したように、斜面１に水平方向２メートルごとに段を変えて、垂直方向はそれぞれ１メートルの間隔で、植生基盤枠２を斜面１に対しほぼ垂直に固定アンカー３を用いて設置し植生基盤層５としての植溝を形成させた。【００２４】      在来種匍匐茎等の根茎をその植溝に、発芽する芽のふくらみを確認しそれが上を向くように、植生基盤枠１基当たり６根を植付け、現場より採集した良質土壌を用いて覆土した。さらに、緑化基材の混合種子を手蒔きで播種し、その上に現地で５センチメートル内外のスティック状に破砕し作製したスギ樹皮チップを散布機材を用いほぼ均等の厚さになるよう散布した。なおそのときのマルチング部材８の厚みは４センチメートルを目安とした。その後、十分に散水した。【００２５】      約３ヶ月後に、斜面の状況を観察したところ、各斜面保護部材の匍匐性植物と緑化部材の草本類が生え揃い、さらに４ヵ月後には在来種匍匐茎等の植物は成長のよいもので約１メートルの高さ、播種した木本類のもので３センチメートルから１５センチメートルの高さとなり地上部の生育は良好であった。特にヨモギではバネ秤による引張り強度試験が１０キログラム／平方センチメートル以上であった。また、親株の匍匐茎の広がり状況を確認したところ多くは上下方向に根茎が１メートル近辺は伸張し、一部は水平方向にも展開し始め今後の斜面全体への増殖が期待できた。なお、このときの施工コストは、１平方メートル当たり２００５円と従来の工法で同面積を施工した場合の約５７％であった。
【実施例２】
【００２６】      実施例１の緑化域の一部を利用して、実施例１における植生基盤枠２を同じ竹製のもので下端に櫛状に５センチメートルおきに幅１センチメートル、深さ１センチメートルの切込みを形成させたものを用い、斜面保護基材４としてヨモギの根茎を長さ２０センチメートルに切断して用いて、実施例１とその他は同様に施工した結果では、約４ヵ月後にヨモギそのものの特性の違いはあるが根の張りが植生基盤枠２に設けた切込みを通ってかつその後はほぼ垂下するように伸張しておりその根を主体に斜面の水平方向に根張りが広がる様相を示していた。このときの樹高は１００センチメートル内外、葉張は約９０センチメートル前後、根系も含め根部の張りは斜面水平方向約２００センチメートル、垂直方向で約１００センチメートルであった。また、バネ秤による引張り強度試験では１０キログラム／平方センチメートル以上であった。以上より、斜面の保護としては十分期待できるものであった。また、緑化基材７の植物も順調に生育しているのが確認できた。コスト的には、植生基盤枠に切欠き加工する手間とコストアップがあるが工事する斜面の状況によっては吸収できる程度であると推定される。
【符号の説明】
【００２７】      １  斜面
２  植生基盤枠
３  固定アンカー
４  斜面保護部材（木本類又は草本類の根茎）
５  植生基盤層
６  遅効性肥料
７  緑化部材（木本類又は草本類の種子）
８  マルチング部材
【図１】
2012167529.tif 000004
【図２】
2012167529.tif 000005
【図３】
2012167529.tif 000006